(57)【要約】【課題】野天にて外気に曝されている墓所設備において、より確実な着火を実現し、かつまた、着火後は安定した燃焼を維持することができる着火口装置を提供する。【解決手段】墓所設備において、燈明Ｃを配置するために墓所設備に設けた空所２１と、上記空所２１に燈明Ｃを配置するために空所２１を囲む閉塞面２２と、上記閉塞面２２に形成した開閉手段２０と、上記燈明Ｃに着火するために開閉手段２０に制限的に形成した着火口２６、２８と、上記着火口を開閉する開閉部材３０とを具えたことを特徴とする。【選択図】          図３
2018062795.tif 000002
【特許請求の範囲】
【請求項１】
墓所設備において、
燈明を配置するために墓所設備に設けた空所と、
上記空所に燈明を配置するために空所を囲む閉塞面と、
上記閉塞面に形成した開閉手段と、
上記燈明に着火するために開閉手段に制限的に形成した着火口と、
上記着火口を開閉する開閉部材と
を具えたことを特徴とする着火口装置。
【請求項２】
墓所設備は石材より成り、空所は上記石材の加工により、前後左右上下が実質的に閉じられた状態に形成されており、着火口は、燈明に着火する着火器を空所の内部に挿入するために必要な最小限度の大きさに形成されている
請求項１記載の墓所設備における着火口装置。
【請求項３】
開閉手段は空所を開閉するための空所開閉体を有しており、上記空所開閉体に着火口が設けられ、着火口を開閉する開閉部材は空所開閉体に設けられている
請求項１又は２記載の墓所設備における着火口装置。
【請求項４】
開閉部材は前後又は左右へのスライド可能、若しくは回転可能に空所開閉体に取り付けられており、開閉部材のスライド位置又は回転位置を調節することにより、空所開閉体に設けられている着火口の開口度合いを調節可能とした
請求項３記載の墓所設備における着火口装置。
【発明の詳細な説明】
【技術分野】
【０００１】
本発明は、墓所設備における着火口装置に関するものである。
【背景技術】
【０００２】
墓所設備は石造の「墓」として一般的に認識されており、日本社会の文化の一部として広く普及している。墓は人々が故人の年忌や春秋の彼岸、或いはお盆などに墓所にお参りをする場所であり、その際には供物や燈明と共に、線香をお供えし、先祖の供養をする。このため、用意したロウソクや線香に墓前にて着火する必要があるが、墓所に着火の用意のないのが普通であったため、発明者は着火に適した設備の提供を課題として開発を進めて来た。
【０００３】
例えば、特開２０１２−２１１４９９号は、内部に燈明台として使用する空間を有し、かつ、その空間への物品の出し入れのために火入れ口を備え、上記火入れ口に引き戸や開き扉から成る開閉手段を装備した燈明台の発明を開示している。この発明によれば、墓所設備に燈明台が備わるだけではなく、墓参に必要な物品を上記空間中に収納しておくことができるので、従来の墓所設備では期待できなかった利便性を得ることができる。
【０００４】
ところが、これまでの燈明台では、灯された燈明を外部から見えるようにするために、デザインされた窓状の開口部分が設けられている。このような開口部分は装飾の一種として必要と見做されており、従来の墓所設備を踏襲している上記発明にも同様に備えられていた。また、従来の墓所設備は石材加工の構造上、燈明用の窓や火入れ口の他にも開口部分を設けることが普通とされていた。上記発明によって、燈明台に燈明を灯すことは容易になったけれども、通気性が良好であるために、少しの風でロウソクに火をつけること自体が困難になるとか、着火しても風によって消え易い、或いはロウソクの火が揺れて安定しないという問題を生じていた。
【０００５】
そこで、発明者は墓所設備におけるロウソク等への着火について観察、研究を行なったところ、そもそもロウソクへの着火自体が思ったよりも簡単ではないという認識を新たにするに至った。図１２を参照して説明すると、ロウソクＣが燃え始めるには、ロウソクＣの芯Ｗに着火することが必要である。着火により固体のロウが熱で溶けて気化し、それが空気との適切な混合気を形成して燃焼条件が整うことになる。ところが、芯Ｗへの着火初期において微風や空気の乱れが生じると着火は不十分な状態におかれるため、ロウが気化するに至らず、安定した燃焼が得られないと考えられる。
【０００６】
すなわち、ロウソクＣが燃焼を継続するには、着火具Ｌ等の熱源（図１２Ａ）によって芯Ｗが十分な状態に加熱されることが必要であり、最良の条件でも一定の時間が掛かるのである。ストップウオッチを用いて慎重に測定したところ、ロウソクＣが安定な燃焼状態になるまでには無風でも数秒間を要し、微風があれば数秒間で着火しないことは勿論、着火具自体の燃焼も覚束なくなることが判明した。着火具Ｌの火力を強めればロウソクＣへの着火もより確実になるが、従来の開口部分の構造では、風によって消えてしまうこともしばしばである。従って、ロウソク等の燈明の着火と燃焼維持のためには気流を遮断するとともに、燃焼に必要な空気供給を維持するという、一見矛盾するように思われる条件を満たすことが必要になる。
【０００７】
また、逆に無風化でロウソクが燃え続けると、次のような不具合を生じる恐れがある。
１）長時間の燃焼により空所上部が熱せられ、高温となる。
２）その熱が墓石設備の上面及び側面を加熱する。
３）このときたまたま雨や雪が降って来ると急激な温度差により石が割れる。
４）或いは単に加熱によっても高温で割れる場合がある。
５）過去に試したところでは、真冬でも４０分ほど燃焼させ続けると墓所設備の石材が熱せられて、手を触れ続けることが困難であった（測定したわけではないが石材表面の温度は１００℃をはるかに超えていたと思われる。）。
【先行技術文献】
【特許文献】
【０００８】
【特許文献１】特開２０１２−２１１４９９号
【発明の概要】
【発明が解決しようとする課題】
【０００９】
本発明は前記の点に鑑みなされたもので、その課題は、野天にて外気に曝されている墓所設備において、より確実な着火を実現し、かつ、着火後は安定した燃焼を維持することができる着火口装置を提供することである。また、本発明の他の課題は、従来の墓所設備の形状、構造を大きく変えずに実現することができる墓所設備における着火口装置を提供することである。
【課題を解決するための手段】
【００１０】
前記の課題を解決するため、本発明は、墓所設備において、
燈明を配置するために墓所設備に設けた空所と、
上記空所に燈明を配置するために空所を囲む閉塞面と、
上記閉塞面に形成した開閉手段と、
上記燈明に着火するために開閉手段に制限的に形成した着火口と、
上記着火口を開閉する開閉部材と
を具えるという手段を講じたものである。
【００１１】
上記の構成から明らかなように、本発明における空所は閉塞面によって囲まれている。閉塞面には開閉手段が設けられており、開閉手段が閉じていれば空所は閉じている空間である。開閉手段には制限的に着火口が形成されており、着火口は開閉部材によって開閉することができる。従って、空所は着火口が外部に通じる唯一の部分であり、風の巻き込みなどの外気の影響を最小限度に抑制することができる。
【００１２】
制限的にとは、まず開口面積が必要最小限度の範囲に制限されていることを意味する。ここで、必要最小限度とは着火具の棒状先端及び線香を空所内の燈明に向けて挿し入れるために必要な範囲のことである。また、本発明の装置における空所は上記の通り閉じている空間であるが、単に閉じているというよりも、密閉ないし密封されていることが望ましい。
【００１３】
すなわち、閉じている空所であれば着火口から風が吹き込んだときに空所内部に風圧として作用するだけである。これに対して閉じていない空所では吹き込んだ風が開口部に向かう気流となるので、空所内部の空気が常時乱れた状態になり易いと考えられる。従って、空所を閉じることにより内部に風の影響が及ぶのを制限することができる。また、着火具の熱源に揺らぎを生じさせることも最小で済み、空所が閉じていれば二酸化炭素等も溜まり易く、着火したロウソクの燃焼の早期消火に好都合である。
【００１４】
本発明に係る墓所設備は、前述したように石造の「墓」として一般的に認識されているものである。しかし、耐候性や耐熱性或いは耐火性が満たされるなら、必ずしも石材を素材とする必要はなく、任意の素材によって墓所設備を形成することができる。また、石材以外の素材は、墓所設備の一部分だけに用いることもある。
【００１５】
しかしながら、また、石材製の墓所設備は伝統的に人気もあるので、石材より成り、空所は上記石材の加工により、前後左右上下が実質的に閉じられた状態に形成されており、着火口は、燈明に着火する着火器を空所の内部に挿入するために必要な最小限度の大きさに、開閉手段に形成されている墓所設備が望ましいことも事実である。
【００１６】
また、開閉手段は空所を開閉するための空所開閉体を有しており、上記空所開閉体に着火口が設けられ、着火口を開閉する開閉部材は空所開閉体に設けることができる。上記開閉部材が前後又は左右へのスライド可能、若しくは回転可能に空所開閉体に取り付けられており、開閉部材のスライド位置又は回転位置を調節することにより、空所開閉体に設けられている着火口の開口度合いを調節可能とした構成も、本発明において望ましいものである。
【発明の効果】
【００１７】
本発明は以上のように構成され、かつ、作用するものであるから、野天にて外気に曝されている墓所設備において、制限的に形成されている着火口を通じて、より容易な着火が実現され、かつ、着火後は燃焼を速やかに停止させることができるという効果を奏する。また、本発明によれば、従来の墓所設備の形状、構造を大きく変えずに実現することができる墓所設備における着火口装置を提供することができる。
【図面の簡単な説明】
【００１８】
【図１】本発明に係る墓所設備における着火口装置の一例を示す斜視説明図である。
【図２】同上の装置を引き戸式として、墓所設備を構成する外柵部材に設けた例１を示す斜視説明図である。
【図３】同じく例１の装置を分解して示す斜視図である。
【図４】同上の装置を上下動式として、墓所設備を構成する外柵部材に設けた例２を示す斜視説明図である。
【図５】同じく例２の装置の開閉手段を開いた状態を示す斜視説明図である。
【図６】同じく例２の装置を分解して示す斜視図である。
【図７】同上の装置を上下蝶番式として、墓所設備を構成する外柵部材に設けた例３を示すもので、Ａは閉じた状態、Ｂは開いた状態を夫々示す斜視説明図である。
【図８】同上の装置を回転板式として、墓所設備を構成する外柵部材に設けた例４を示すもので、Ａは閉じた状態、Ｂは開いた状態の外観を夫々示す斜視説明図である。
【図９】同じく例４の装置の開いた状態を示す斜視説明図である。
【図１０】同上の装置を上下蝶番式として外柵部材正面に設けた例５を示す斜視説明図である。
【図１１】本発明に係る墓所設備における着火口装置の設置部位の例を示す斜視説明図である。
【図１２】本発明に係る墓所設備における着火口装置を示すもので、Ａはロウソクへの着火状態、Ｂは線香への着火状態を夫々示す断面説明図である。
【発明を実施するための形態】
【００１９】
以下、図示の実施形態を参照して本発明をより詳細に説明する。図１は本発明の例１に係る着火口装置を適用した墓所設備に関するもので、１１は墓石、１２は参拝面、１３は蓋石、１４は香炉、１５は花立て、１６は墓誌、１７は外柵部材をそれぞれ示す（なお、外柵部材１７等については左右を符号ｌ、ｒで区別する場合がある。）。また、１８は正面飾り窓、１９は側面窓であるが、いずれも燈明の明るさが外部から分かる程度の光透過性を有する板材によって閉塞されており空気は流通しない。
【００２０】
図示の実施形態において、本発明に係る着火口装置は左右外柵部材１７ｌ、１７ｒの前端上部に設けられている。例１の着火口装置１０−１は、燈明であるロウソクＣを配置するために外柵１７ｌ、１７ｒに設けた、空所２１を囲む前後左右上下の面における内側の閉塞面２２に設けられている。上記の空所２１は外柵部材１７を刳り抜くようにして形成され、内側に開口しており、閉塞面２２によって閉じられる（図２、図３参照）。
【００２１】
閉塞面２２は、外柵１７ｌ、１７ｒの参拝面１２に面する側に位置しており、空所２１の開口している内側面に配置される面板２３の上部である。閉塞面２２は、板材から成る面板２３において空所２１の開口を完全に塞ぎ得る大きさを占めており、さらにその開口を塞ぐ部分に開閉手段２０を構成する開閉窓２５が形成されている。外柵部材１７の内側面には面板２３とほぼ同形の面板取り付け部２４が凹状に設けられ、そこに面板２３が貼り付けられる。開閉手段２０は上記開閉窓２５を有する面板２３の空所側に設けられ、空所２１を開閉するための空所開閉体２７を有している。
【００２２】
上記空所開閉体２７は、ロウソクＣへの着火のために、着火具Ｌの棒状先端及び線香Ｉを空所内の燈明に向けて挿し入れる、必要最小限度の大きさに制限された着火口２６及び２８を有する一対の部材２７−１、２７−２から成っている。部材２７−１は着火口２６を上部に有し、部材２７−２は着火口２８を上部に有し、両部材２７−１、２７−２ともほぼ同形同大の板状に形成されており、着火口２８を開閉する前後移動式の開閉部材３０が両部材間に配置される。開閉部材３０は両着火口２６、２８を閉じられる大きさを有するものとし、開閉部材３０をスライド可能に配置するための凹部２９は部材２７−２の側に形成されている。
【００２３】
開閉部材３０には開閉のための操作部３２が設けられるとともに、凹部２９に配置した状態で、凹部２９の前端上部にストッパー３３を取り付けて抜け止めとされる。上記空所開閉体２７は、一対の部材２７−１、２７−２が貼り合わされて一体の構造となり、両部材間の凹部２９に開閉部材３０がスライド可能に配置される。一体構造の空所開閉体２７は、外柵１７の開口縁に形成された溝状のスライド部３１ａ、３１ｂに前後方向へ移動可能に配置され、部材２７−１の側が開閉窓２５と重なる位置にて面板２３との間に挟まれる状態となる。
【００２４】
上記開閉窓２５は狭く、空所２１の開口幅の半分程度であるが、高さは同等に設定されている。従って、空所開閉体２７を、空所開口範囲の全域にわたって設けられているスライド部３１ａ、３１ｂの最も奥まで移動させることにより、空所２１が実質的に全開したのと大差のない状態とすることができる。よって、物の出し入れや着火及び換気促進等にも有効である。
【００２５】
上記面板２３は、外柵１７の面板取り付け部２４に貼り合わされて密閉状態となる。一方、空所開閉体２７を構成する一対の部材２７−１、２７−２及び開閉部材３０の開閉機構にはスライドのために隙間も存在し得るが、通気性としては無視できる程度である。また、上記操作部３２はより小さい開口部分として形成することができるものであり、小開口から成る操作部３２は微小通気部として燈明への着火や線香への着火にも利用することができる。
【００２６】
また、空所２１は、燈明としてのロウソクＣを立てる燭台を配置するために十分な広さを有するものとし、必要であれば備品類の収納部としても用いられる。空所２１の形成方法として、石材を刳り抜くことは必須ではなく、複数個の石材を組み合わせて一面だけが開放した空間を形成し、空所２１として使用できることは当然である。前記着火口２６、２８はこうした空所２１の比較的上位に設け、着火の便や二酸化炭素の滞留が早過ぎないように企図されている。これは以下の例に共通である。
【００２７】
このように構成された例１の着火口装置１０−１において、空所２１に燈明を配置するときには空所開閉体２７をスライド部３１ａ、３１ｂに沿って移動し、開閉窓２５が開いた状態とする。この状態では開閉窓２５が全開するので、手を空所２１の内部に差し入れることができ、ロウソクＣを燈明台に立てたままでも、難なく所定の位置に配置することが可能になる。風があるときにロウソクＣに着火するには、空所開閉体２７をスライドさせて開閉窓２５が閉じた状態として、操作部３２を操作して開閉部材３０を後方へ移動させ、着火口２６、２８の部分のみが開いた状態とする（図２参照）。
【００２８】
上記の状態では、空所２１は着火口２６、２８の部分のみで外部に通じているだけであり、空気は内部にて停滞する傾向にある。また、外部から風が吹きかかっても空所２１より先に空気の逃げ場がないため、着火口２６、２８の部分から空所内部が気流で乱される状態にはならない。従って、ロウソクＣの周囲の空気も比較的静穏な状態に維持されるので、芯Ｗが着火に十分な状態にまで着火具Ｌ等の熱源が乱されることはない。また、より風が強いときには開閉部材３０の位置を変えて着火口２６、２８の一部だけを開き、風が吹き込むのをさらに制限したり、開閉部材３０も閉じて小開口から成る操作部３２だけを開けたりすることができる。よって、常に安定したロウソクＣの燃焼状態が得られるとともに、燃焼状態が安定すれば開閉部材３０を閉じることができる。開閉部材３０の小開口３２は十分に小さく、燃焼に必要な酸素は不十分にしか供給されないため、閉じなくてもやがてロウソクＣの燃焼は停止する。
【００２９】
燈明の明かりは飾り窓１８等を透過して、外部から目視することができる。また、線香ＩをロウソクＣの炎にかざして着火するために使用することができる（図１２Ｂ参照）。特に、線香Ｉのように細長いものは着火口２６、２９を全開しなくても僅かに開けて、或いは、上記の通り操作部３２が小開口から成る場合にはその小さい開口からでも差し込めるので、外気流を殆ど気に掛けずに確実に着火することができる。しかし、着火口２６、２８を全開しておけば、空所２１内も速やかに換気される。
【００３０】
このような着火口装置は上記の例１に限られる訳ではなく、図４以下に示すように多様な形態を取ることができる。図４、図５及び図６は開閉手段４０を有する例２の着火口装置１０−２を示している。例２のものは空所２１の開口に固定されるフレーム３４と、空所２１を開閉する空所開閉体３５とを有している。空所開閉体３５はフレーム３４に納まる大きさの板状に形成されるとともに、フレーム３４に軸支されるヒンジ軸３９ａを中心に回転するように設けられた、ヒンジ軸３９ａの軸受け部３９ｂを一側辺に有している（図６）。なお、ヒンジ軸３９ａは軸受け３９ｃに取り付けられ、軸受け部３９ｂと共にヒンジ部３９を構成する。
【００３１】
上記のようにしてフレーム３４に取り付けられた空所開閉体３５には、ロウソクＣへの着火に必要最小限度の大きさに制限された着火口３６が空所開閉体３５の上部に形成されている。着火口３６を開閉するために開閉部材３７が設けられており、この開閉部材３７を上下動可能に保持し、着火口３６を開閉可能にするために、ガイド部３８ａ、３８ｂが設けられている。抜け止めのためには、スライド部３８ａ、３８ｂの下部にストッパーが設けられる。また、開閉部材３７については、適度の摩擦を与えて任意の位置で停止可能に設けることも可能である。
【００３２】
例２の開閉部材３７は上方移動時に着火口３６を閉塞する方式を取っており、そのため閉塞用のフック４１を外面上部に有し、空所開閉体３５の外面上部に設けたフック係止部４２に上記フック４１を係止する構成を有する。フック４１は軸４１ａを孔４１ｂに通した上で軸止め４１ｃに取り付けられる。また、空所開閉体３５にはラッチ４３がヒンジ部３９の反対側の位置に設けてあり、これと対応する空所２１の開口縁外部にラッチ係止部４４が設けられている。
【００３３】
例２の着火口装置１０−２の場合、空所２１に燈明を配置するときにはラッチ４３をラッチ係止部４４から外して、空所開閉体３５を手前に引くとともにヒンジ部回りに開いて空所２１を開放する（図５）。この状態では空所２１が全開した状態にあるので、手を空所２１の内部に差し入れて、燈明台に立てたロウソクＣを難なく所定の位置に配置することが可能である。例２は空所２１が全開する構成であるので、物の出し入れや着火及び換気促進等に有効である。
【００３４】
風があるときにロウソクＣに着火するには、空所開閉体３５を閉じてラッチ４３を掛ける。その後、フック４１をフック係止部４２から外して開閉部材３７を下方へ移動させ、着火口３６の上側部分のみが開いた状態とする（図４Ｂ）。こうしてロウソクＣに確実に着火することができ、燈明の明かりは飾り窓１８等を透過して、外部から目視することができる。また、線香ＩをロウソクＣの炎にかざして着火することも容易である（図１２Ｂ参照）。
【００３５】
図７は、着火口装置１０−３を上下蝶番式として、墓所設備を構成する外柵部材１７に設けた例３を示す。例３は例２において上下スライド式であった開閉部材３７をヒンジ開閉式の開閉部材４５としたもので、その構成以外は例２と同じである。従って、開閉手段５０として、空所開閉体４８が空所２１の開口に固定されるフレーム４６に取り付けられている。空所開閉体４８は、ロウソクＣへの着火に必要最小限度の大きさに制限された着火口４７を上部に有し、着火口４７を開閉するために、開閉部材４５をヒンジ開閉式の構造によって保持するヒンジ部４９を有している。
【００３６】
上記ヒンジ部４９は、開閉部材４５を上記着火口４７の下辺部分にて空所開閉体４８に上下回転により開閉可能に設けたもので、ヒンジ軸４９ａによって開閉部材４５を下辺の軸受け４９ｂにて空所開閉体４８の軸受け４９ｃに軸支した構成である。開閉部材４５はフック５１を外面上部に有し、空所開閉体４８の外面上部に設けたフック係止部５２に係止して上記開閉部材４５が閉じ位置に固定される。また、空所開閉体４８にはラッチ５３がヒンジ部の反対側の位置に設けてあり、これと対応する空所２１の開口縁外部にラッチ係止部５４が設けられている。
【００３７】
例３の着火口装置１０−３の場合、空所２１に燈明を配置するときには空所開閉体４８が閉じた状態から（図７Ａ）、ラッチ５３をラッチ係止部５４から外し、空所開閉体４８をヒンジ部回りに手前に開くとともに空所２１を開放する。この状態では空所２１が全開した状態にあるので、手を空所２１の内部に差し入れて、燈明台に立てたロウソクＣを難なく所定の位置に配置することが可能である。
【００３８】
風があるときにロウソクＣに着火するには、空所開閉体４８を閉じてラッチ５３を掛ける。その後、フック５１をフック係止部５２から外して開閉部材４９を下方へ回転移動させ、着火口４７の部分のみが開いた状態とする（図７Ｂ）。このようにすることで、着火口４７からロウソクＣに確実に着火することができる。例３においても空所２１が全開する構成であるので、物の出し入れや着火及び換気促進等に有効である。
【００３９】
図８、図９は例４の着火口装置１０−４を示す。例４のものもヒンジ開閉式の空所開閉体５５を有しており、開閉の構成は例３と同じである。従って、開閉手段６０として、空所２１の開口に固定されるフレーム５６と、フレーム５６に取り付けられ、ロウソクＣへの着火に必要な最小限度の大きさに制限された着火口５７を上部に有する上記ヒンジ開閉式の空所開閉体５５を有している。空所開閉体５５を開閉可能に保持するために、ヒンジ部５９は、ヒンジ軸５９ａによって空所開閉体５５を側辺の軸受け５９ｂにて空所開閉体５５の軸受け５９ｃに軸支した構成を有する（図９）。
【００４０】
空所開閉体５５に形成された上記着火口５７は半円形を有し、この着火口５７を開閉するために円形の開閉部材６１が空所開閉体５５に軸支され、上記開閉部材６１に半円形の着火口６２が形成されている。両着火口５７、６２は同形に形成されている。この開閉部材６１は、支軸６１ａにより空所開閉体５５に回転可能に設けられ、支軸外部のノブ６１ｂにより開閉操作される。なお、開閉部材６１は任意の回転位置で止まるように構成されている。空所開閉体５５はフック６３を外面側部に有し、空所２１の開口縁外部に設けたフック係止部６４に係止することにより閉じ位置に固定される。
【００４１】
例４の着火口装置１０−４の場合、空所２１に燈明を配置するときには空所開閉体５５が閉じた状態から（図８Ａ）、ラッチ６３をラッチ係止部６４から外し、空所開閉体５５をヒンジ部回りに手前に開くとともに空所２１を開放する。この状態では空所２１が全開した状態にあるので、手を空所２１の内部に差し入れて、燈明台に立てたロウソクＣを難なく所定の位置に配置することが可能である。例４においても空所２１が全開する構成であるので、物の出し入れや着火及び換気促進等に有効である。
【００４２】
風があるときにロウソクＣに着火するには、空所開閉体５５を閉じてラッチ６３をフック係止部６４に掛けた状態で行なう。その後、外部のノブ６１ｂを操作して開閉部材６１を回転移動させ、着火口５７、６２が重なって開いた状態とする（図９参照）。このようにすることで、着火口５７、６２からロウソクＣに確実に着火することができ、かつ、任意の回転位置で止められるので、着火口５７、６２の重なりによる開口度合いを調節することができる。
【００４３】
図１０により例５の着火口装置１０−５を示す。例５のものは空所２１を囲む閉塞面に形成する開閉手段７０を正面に設けたもので、ヒンジ開閉式の空所開閉体６５を有しており、開閉の構成は例２〜例４と同じである。従って、開閉手段７０は、空所２１の開口に固定されるフレーム６６と、フレーム６６に取り付けられ、ロウソクＣへの着火に必要な最小限度の大きさに制限された着火口６７を上部に有する、上記ヒンジ開閉式の空所開閉体６５を有している。空所開閉体６５を開閉可能に保持するヒンジ部７３は、例２〜例４と同様で良いので詳細な説明は省略する。
【００４４】
空所開閉体６５には上記着火口６７を開閉する開閉部材７１が設けられている。この開閉部材７１は、例３における開閉部材４５と同様の開閉機構を有しており、上記開閉機構も例３におけるヒンジ部と同様に、開閉部材７１を上記着火口６７の下辺部分にて空所開閉体６５に上下回転により開閉可能に設けたものである。従って、このヒンジ部の構成も例３におけるヒンジ部の構成と同様で良いから詳細な説明は省略する。また、空所開閉体６５を閉じた状態に保つラッチ６８とラッチ係止部６９、開閉部材７１を閉じた状態に保つフック７２についても、例２〜例４と同様で良いので符号のみ記して説明に代える。
【００４５】
従って、例５の着火口装置１０−５についても、操作方法と作用は図７に示した例３の場合と全く同様である。つまり、空所２１に燈明を配置するときには空所開閉体６５が閉じた状態にて、ラッチ６８をラッチ係止部６９から外し、空所開閉体６５をヒンジ部回りに手前に開くとともに空所２１を開放する。また、風があるときにロウソクＣに着火するには、空所開閉体６５を閉じてラッチ６８を掛け、フック７２をフック係止部から外して開閉部材７１を下方へ回転移動させ、着火口６７の部分のみが開いた状態として行なう。例５においても空所２１が全開する構成であるので、物の出し入れや着火及び換気促進等に有効である。
【００４６】
このように構成された本発明に係る墓所設備における着火口装置１０は、墓所設備の任意の箇所に設けることができる。図１１はその設置箇所の例を示したもので、符号１０１は外柵１７に設置する例１で、既に説明した例１〜５はこの例である。符号１０２は参拝面１２の正面に設置する例２で、前記例１と共に低い位置に設けられている。これに対して符号１０３は花立て１５の正面に設置する例３であり、相対的に小さい石材に設けることができる。
【００４７】
本発明は以上のように構成されており、開閉手段２０〜７０に制限的に形成した着火口２６〜６２によってロウソク等の燈明に対する着火と燃焼維持のために気流を遮断するとともに、燃焼に必要な空気供給を維持するという、一見矛盾するように思われる条件を満たすことができるものである。特に、図１等に示した例１と図４等に示した例２、及び図８等に示した例４の場合、開閉部材３０、６１の位置調節により着火口２８、３６、５７の開口度合いをさらに微妙に調節することができ、従来から困難視されていた墓所設備におけるロウソク等への着火を容易かつ確実に実施することが可能になった。
【符号の説明】
【００４８】
Ｃ  燈明としてのロウソク
Ｉ  線香
Ｌ  着火具
Ｗ  ロウソクの芯
１０、１０−１〜１０−５  着火口装置
１１  墓石
１２  参拝面
１５  花立て
１７（１７ｌ、１７ｒ）  外柵（左、右の外柵）
１８  正面飾り窓
１９  側面窓
２０、４０、５０、６０、７０  開閉手段
２１  空所
２２  閉塞面
２３  面板
２４  面板取り付け部
２５  開閉窓
２６、２８、３６、４７、５７、６２  着火口
２７、３５、４８、５５、６５  空所開閉体
２９  凹部
３０、３７、４５、６１、７１  開閉部材
３１ａ、３１ｂ、３８ａ、３８ｂ  スライド部
３２  操作部
３３  ストッパー
３４、４６、５６、６６  フレーム
３９、４９、５９、７３  ヒンジ部
４１、５１、７１  フック
４２、５２  フック係止部
４３、５３、６３、６８  ラッチ
４４、５４、６４、６９  ラッチ係止部
【図１】
2018062795.tif 000003
【図２】
2018062795.tif 000004
【図３】
2018062795.tif 000005
【図４】
2018062795.tif 000006
【図５】
2018062795.tif 000007
【図６】
2018062795.tif 000008
【図７】
2018062795.tif 000009
【図８】
2018062795.tif 000010
【図９】
2018062795.tif 000011
【図１０】
2018062795.tif 000012
【図１１】
2018062795.tif 000013
【図１２】
2018062795.tif 000014